(57)【特許請求の範囲】
【請求項１】
ＣＰＵ回路と出力インターフェース回路とを有して遊技制御を行うメイン制御基板と、このメイン制御基板からの信号が入力される入力インターフェース回路を有して前記メイン制御基板からの指令に基づいて動作する第２基板と、
前記メイン制御基板に設けられ前記ＣＰＵ回路と前記出力インターフェース回路がそれぞれ接続される、内部グランドである第１グランドと、
前記第２基板に設けられ前記入力インターフェース回路が接続される第２グランドと、
前記入力インターフェース回路および出力インターフェース回路の間を電気的に接続して前記メイン制御基板からの信号を前記第２基板へ伝達する信号線と、
前記第１グランドと前記第２グランドとに基準電位を与えるために、前記メイン制御基板と前記第２基板との間を電気的に接続した基準線と
を備えた遊技機であって、
前記出力インターフェース回路と前記第１グランドとの間にノイズの侵入を阻止するコイルを介在させ、かつ、そのコイルと前記出力インターフェース回路との間に前記基準線の一端を、他端を前記第２基板の入力インターフェース回路と第２グランドとの間にそれぞれ接続したことを特徴とする遊技機。
【請求項２】
請求項１に記載した遊技機において、
前記メイン制御基板の前記ＣＰＵ回路と前記第１グランドとの間にノイズ阻止手段を介在させたことを特徴とする遊技機。
【発明の詳細な説明】
【０００１】
【発明の属する技術分野】
本発明は遊技機に関し、信号線から第２回路を通じて侵入しようとするノイズを阻止する技術に関する。
【０００２】
【従来の技術】
遊技場に設置した遊技機（例えばパチンコ機）は、各装置に電力を配電する電源基板や、遊技機全体の制御を総括するメイン制御基板、図柄等の表示を制御する表示制御基板等のように、複数の基板を備えるのが通常である。基板間では信号伝達を行うために、当該信号そのものを伝達する信号線と、基準電位（例えば０ボルト）を与える基準線とを電気的に接続している。通常、信号線を基準線でシールドし、当該基準線はアースに電気的に接続可能になっている。
【０００３】
ところで一般の遊技場では様々の要因によってノイズが氾濫しており、当該ノイズ（特に高周波ノイズ）が上記基準線を通じて基板に侵入すると当該基板が誤動作する可能性がある。すなわちノイズは基板上の配線間の浮遊容量や素子自体の浮遊容量等を通じて伝搬してゆき、例えばメモリ内容を変化させたりバスラインの信号を変化させる等によって当該基板を誤動作させる。このような誤動作を防止する技術について、本出願人は特願２０００−１３１１１９（未公開）で開示した。当該技術では基準線と基板内のグランドとの間にノイズ阻止手段を介在させることによって、基板にノイズが侵入するのを阻止している。
【０００４】
【発明が解決しようとする課題】
しかし、信号線を基準線でシールドしていない場合や、当該シールドしていた場合であっても信号線にノイズが侵入してしまうことがある。この場合には、信号線から基板上に形成した回路を通じて当該基板のグランドに侵入する。こうしてノイズが侵入するとグランドの電位が一時的に変化するため、ＣＰＵ（またはＣＰＵ回路）に供給する電力の電位差も変化する。当該電位差が所定値以下になれば停電状態と同じになり、結果的にはＣＰＵ等が誤動作する可能性がある。
本発明はこのような点に鑑みてなしたものであり、基板上の回路をノイズから保護し、当該回路の動作を安定させ得る遊技機を提供するのが目的である。
【０００５】
【課題を解決するための手段１】
課題を解決するための手段１は、請求項１に記載した通りである。ここで、請求項１に記載した「第２基板」は、表示制御基板、音制御基板、枠制御基板、中継基板等のように遊技機内に設置可能な全ての基板が該当する。
【０００６】
当該手段１によれば、ＣＰＵ回路と出力インターフェース回路とを有して遊技制御を行うメイン制御基板と、このメイン制御基板のからの信号が入力される入力インターフェース回路を有して前記メイン制御基板からの指令に基づいて動作する第２基板と、前記メイン制御基板に設けられ前記ＣＰＵ回路と前記出力インターフェース回路がそれぞれ接続される、内部グランドである第１グランドと、
前記第２基板に設けられ前記入力インターフェース回路が接続される第２グランドと、前記入力インターフェース回路および出力インターフェース回路の間を電気的に接続して前記メイン制御基板からの信号を前記第２基板へ伝達する信号線と、前記第１グランドと前記第２グランドとに基準電位を与えるために、前記メイン制御基板と前記第２基板との間を電気的に接続した基準線とを備えた遊技機であって、前記出力インターフェース回路と前記第１グランドとの間にノイズの侵入を阻止するコイルを介在させ、かつ、そのコイルと前記出力インターフェース回路との間に前記基準線の一端を、他端を前記第２基板の入力インターフェース回路と第２グランドとの間にそれぞれ接続している。
このコイルによって、信号線から出力インターフェース回路を通じて矢印Ｄａに沿ってメイン制御基板の第１グランドに侵入しようとするノイズを阻止できる。また、出力インターフェース回路を通じて侵入したノイズはコイルと出力インターフェース回路との間に電気的に接続した基準線を通じて第２基板側に流す。したがってメイン制御基板上のＣＰＵ回路をノイズから保護するので、当該ＣＰＵ回路の動作を安定させることができる。
【０００７】
【課題を解決するための手段２】
課題を解決するための手段２は、請求項２に記載した通りである。当該手段２によれば、前記メイン制御基板の前記ＣＰＵ回路と前記第１グランドとの間にノイズ阻止手段（ノイズの侵入を阻止可能な全ての素子や回路を意味し、例えばコイル、抵抗器等が該当する）を介在させる。このノイズ阻止手段によって、第１グランドに侵入したノイズが矢印Ｄｂに沿ってＣＰＵ回路に侵入するのを阻止することができる。よって、ＣＰＵ回路の動作をより確実に安定させることができる。
【００１０】
【発明の実施の形態】
以下、本発明における実施の形態を図面に基づいて説明する。
〔実施の形態１〕
実施の形態１は遊技機の一つであるパチンコ機に本発明を適用したものであって、信号線から第２回路および第１グランドを通じて第１回路に侵入しようとするノイズを阻止する例である。本実施の形態１は図２，図３を参照しながら説明する。なお、パチンコ機の正面側（遊技者が遊技する側）は本発明の要旨と直接は関係しないので図示および説明を省略する。また、単に「接続」という場合には、電気的な接続を意味する。さらに、単に「基板」という場合には、パチンコ機に備えた少なくとも一つの基板を意味する。そして、基準電位は例えば０ボルトとするが、任意の電位であってもよい。
【００１１】
背面側におけるパチンコ機１０の概略構成について、図２を参照しながら説明する。ベース枠の背面側に組み付けた支持枠体１４は、遊技盤を取付可能に構成する。当該遊技盤を支持枠体１４に取り付けた状態で当該遊技盤の背面側から裏セット部材１９を装着し、裏セット部材１９を複数個の締付具１２で締め付けて遊技盤を固定する。当該裏セット部材１９はベース枠に対して開閉可能に構成し、裏カバー１７，球タンク４２，誘導樋４０，発射制御装置２５等を備える。よって、遊技盤は裏セット部材１９を開閉することで着脱や交換等ができる。
【００１２】
裏カバー１７は、羽根，回転体，キャラクタ等の可動体を備えた役物装置（センター役物）や、液晶表示器等に図柄等の表示を制御する表示制御基板１５等を背面側からカバーする。さらに裏カバー１７の背面側には、パチンコ機１０のほぼ全体を制御するメイン制御基板１８や、装飾用ランプ等の点灯・点滅を制御するランプ制御基板１６、スピーカから出す音を制御する音制御基板３０等を備える。配送されてきたパチンコ球は球タンク４２に一時的に貯留した後、誘導樋４０を経て払出装置２８に送り出す。当該払出装置２８は上記メイン制御基板１８から伝達された払出指令を受けて、所要個数のパチンコ球を正面側に備えた上皿や下皿に払い出す。発射制御装置２５が発射モータ２２の作動を制御して発射部材２０を往復運動させることにより、上皿から供給されたパチンコ球を遊技盤の遊技領域内に打ち出す。発射部材２０によってパチンコ球を発射する強度は、強度調整機構２４によって調整可能である。発射モータ２２，発射部材２０，強度調整機構２４はベース枠に備える。発射モータ２２には例えばサーボモータを用いるが、パルスモータ等のような他種のモータを用いてもよい。払出装置２８の正面側（図２では図面裏側）には、メイン制御基板１８から伝達された信号を受けて払出装置２８等の作動を制御する枠制御基板２７を備える。
その他、電源コード３２から供給された電力を各装置に分配するべく配電盤３６内に備えた電源基板３４と、ランプ制御基板１６と音制御基板３０との間に備えた接続基板３８と、払出装置２８の下方に備えた接続基板２６とを有する。
【００１３】
上述のように構成したパチンコ機１０において、三つの基板（例えばメイン制御基板１８，表示制御基板１５，音制御基板３０）を図３に模式的に示すように接続する。すなわちメイン制御基板１８と表示制御基板１５との間では、図柄等の表示を制御する表示制御信号をメイン制御基板１８から表示制御基板１５に伝達するための信号線７０と、当該メイン制御基板１８と表示制御基板１５とに基準電位を与えるグランド線７２とをコネクタ５４，８０を用いて接続する。
またメイン制御基板１８と音制御基板３０との間では、スピーカから出す音を制御する音制御信号をメイン制御基板１８から音制御基板３０に伝達するための信号線７４と、当該メイン制御基板１８と音制御基板３０とに基準電位を与えるグランド線７６とをコネクタ６２，９０を用いて接続する。
【００１４】
メイン制御基板１８では、ＣＰＵのみ又はＣＰＵを中心に回路構成したＣＰＵ回路５０と、ＣＰＵをリセットするためのリセット信号を生成するリセット回路５６と、ＣＰＵ等を作動させるための基本クロックを生成する発振回路５８とを共通するグランドＧ１０にそれぞれ接続する。ＣＰＵ回路５０は、並列に接続したインタフェース回路５２，６０（図３等では「Ｉ／Ｆ回路」と図示する。）を介してそれぞれ表示制御基板１５，音制御基板３０に所要の信号を伝達する。
インタフェース回路５２はコイルＬ２（インダクタンス）を介在させてグランドＧ１０に接続し、当該インタフェース回路５２とコイルＬ２の間をグランド線７２に接続する。同様に、インタフェース回路６０はコイルＬ４を介在させてグランドＧ１０に接続し、当該インタフェース回路６０とコイルＬ４の間をグランド線７６に接続する。当該インタフェース回路５２，６０には、例えば所定の電力で信号伝達するために信号レベルを調整可能な東芝株式会社製のＣＭＯＳシュミットトリガインバータ付バッファについて型番７４ＶＨＣ１４等を用いる。よってＣＰＵ回路５０、リセット回路５６、発振回路５８、インタフェース回路５２，６０は共通するグランドＧ１０に接続する。
【００１５】
表示制御基板１５では、メイン制御基板１８が信号線７０を通じて伝達する表示制御信号を受けるインタフェース回路８２と、当該表示制御信号に基づいて液晶表示器等に図柄等の表示制御を行うＣＰＵ回路８４とをグランドＧ２０にそれぞれ接続する。また、グランド線７２もグランドＧ２０に接続する。
音制御基板３０では、メイン制御基板１８が信号線７４を通じて伝達する音制御信号を受けるインタフェース回路９２と、当該音制御信号に基づいてスピーカへの出力制御を行うＣＰＵ回路９４とをグランドＧ３０にそれぞれ接続する。また、グランド線７６もグランドＧ３０に接続する。
こうしてグランド線７２，７６によって基板間における基準電位を確保できるので、当該基準電位から相対的な電位（例えば５ボルト）で所要の信号をメイン制御基板１８から信号線７０，７４を介してそれぞれ表示制御基板１５や音制御基板３０に伝達することができる。なお、インタフェース回路８２，９２にはインタフェース回路５２，６０と同様のものを用いる。
【００１６】
上述した接続形態によれば、メイン制御基板１８（第１基板１）ではインタフェース回路５２（第２回路１ｂ）とグランドＧ１０（第１グランドＧ１）との間にコイルＬ２（ノイズ阻止手段１ｄ）を介在させた。また、インタフェース回路５２とコイルＬ２との間をグランド線７２（基準線４）に接続した。
コイルＬ２は通過する信号の周波数が高くなるにつれてインピーダンスが高くなる性質があるため、ローパスフィルタとして作用する。コイルＬ２によって信号線７０（信号線３）からインタフェース回路５２を通じて侵入したノイズＮ（特に高周波成分）がグランドＧ１０を介してＣＰＵ回路５０（第１回路１ａ）に侵入するのを阻止できるので、ノイズＮからＣＰＵ回路５０を保護して動作を安定させることができる。信号線７０からインタフェース回路５２を通じて侵入したノイズＮは、矢印Ｄ２に沿ってグランド線７２を通じて表示制御基板１５（第２基板２）のグランドＧ２０（第２グランドＧ２）に逃がすことができる。
この効果は、インタフェース回路６０（第２回路１ｂ）とグランド線７６（基準線４）との間に介在させたコイルＬ４（ノイズ阻止手段１ｄ）についても同様である。またＣＰＵ回路５０に限らず、リセット回路５６や発振回路５８等のようにメイン制御基板１８に備えた回路であってグランドＧ１０に接続する回路も同様にノイズＮから保護するので、当該回路の動作を安定させることができる。
【００１７】
一方、ＣＰＵ回路８４はＣＰＵ回路５０からインタフェース回路５２，信号線７０，インタフェース回路８２を通じて受けた表示制御信号に基づいて動作し、しかも当該表示制御信号は所要の周期（例えば４ミリ秒ごと）に受ける。グランドＧ２０とグランド線７２とを直接に接続した表示制御基板１５はグランド線７２を通じて侵入したノイズＮによって誤動作し得るが、この場合でもＣＰＵ回路５０から次の信号を受けると正常に動作するようになる。このようにメイン制御基板１８にのみコイルＬ２を備えた場合であっても、メイン制御基板１８および表示制御基板１５の双方に形成した各回路を保護して動作を安定させることができる。この効果は、同様に構成したメイン制御基板１８と音制御基板３０との間等のように、任意の基板間についても同様に得ることができる。
なお、コイルや抵抗器等の素子や回路をノイズ阻止手段１ｄとして用いた場合にはノイズＮの阻止効果とともに、突入（ピーク）時の電流値を低く抑えることもできる。また、抵抗器には巻線型の抵抗器を用いるのがよく、さらに巻線のギャップを封止したタイプの抵抗器を用いるのが望ましい。巻線型の抵抗器等を用いると、突入時などで当該抵抗器から放電するのを防止できる。
【００１８】
ここで、インタフェース回路５２としてトランジスタＱ２を用い、インタフェース回路６０としてトランジスタＱ４を用いた構成例を図４に示す。この構成によれば、ＣＰＵ回路５０からトランジスタＱ２のベース端子にハイレベル信号を伝達すると、信号線７０の信号を増幅する。増幅された信号はコイルＬ２によってグランドＧ１０に入るのを阻止されるので、矢印Ｄ２に示すようにグランド線７２を介して表示制御基板１５のグランドＧ２０に流れることになる。このことは、ＣＰＵ回路５０からトランジスタＱ４のベース端子にハイレベル信号を伝達する場合でも同様である。したがって、トランジスタＱ２，Ｑ４を用いた場合であっても上述した実施の形態１と同様の効果を得ることができる。
なおトランジスタＱ２，Ｑ４の特性によって、信号線７０に侵入したノイズＮはコレクタ端子からエミッタ端子を通じてグランド線７２に流れるが、ベース端子を通じてＣＰＵ回路５０に流れることはない。
【００１９】
また、以下に示すように応用（変形）して実施することも可能である。
（１）コイルＬ２，Ｌ４に代えて、抵抗器等のようにノイズＮの侵入を阻止可能な他の素子や回路（インピーダンス；望ましくは低周波ノイズも阻止可能なもの）を用いてもよい。例えばコイルＬ２に代えてインピーダンスＺ２を用い、コイルＬ４に代えてインピーダンスＺ４を用いた例を図５に示す。この例でも、各基板上に形成した回路（特にＣＰＵ回路５０）の動作を安定させることができる。（２）ＣＰＵ回路５０，リセット回路５６，発振回路５８等のようにグランドＧ１０を通じてノイズＮが侵入可能な回路については、当該回路とグランドＧ１０との間にコイルやインピーダンス等のノイズ阻止手段１ｄをさらに介在させてもよい。例えば図６に示すように、ＣＰＵ回路５０とグランドＧ１０との間にコイルＬ６を介在させ、リセット回路５６とグランドＧ１０との間にコイルＬ８を介在させ、発振回路５８とグランドＧ１０との間にコイルＬ１０を介在させてそれぞれ接続する。こうすればグランドＧ１０に侵入したノイズＮがＣＰＵ回路５０等に侵入するのをより確実に阻止することができる。よって、ＣＰＵ回路５０等の動作をより確実に安定させることができる。
（３）上記（２）と同様にグランドＧ２０，Ｇ３０を通じてノイズＮが侵入可能な回路についても適用可能であり、当該回路とグランドＧ２０，Ｇ３０との間にコイルやインピーダンス等のノイズ阻止手段２ｄをさらに介在させてもよい。例えば図６に示すように、表示制御基板１５においてＣＰＵ回路８４とグランドＧ２０との間にコイルＬ１２を介在させ、音制御基板３０においてＣＰＵ回路９４とグランドＧ３０との間にコイルＬ１４を介在させてそれぞれ接続する。こうすればグランドＧ２０，Ｇ３０に侵入したノイズＮがＣＰＵ回路８４，９４等に侵入するのをより確実に阻止することができるので、ＣＰＵ回路８４，９４等の動作をより確実に安定させることができる。
【００２０】
〔実施の形態２〕
実施の形態２は実施の形態１と同様にパチンコ機１０に本発明を適用したものであって、信号線から第１回路や第４回路に侵入しようとするノイズの大きさを低減させる例である。本実施の形態２は図５を参照しながら説明する。
なお、パチンコ機１０の構成等は実施の形態１と同様であるので、図示および説明を簡単にするために実施の形態２では実施の形態１と異なる点について説明する。よって図５において実施の形態１に示す要素と同一の要素には同一の符号を付して説明を省略する。
【００２１】
図５に示す接続形態が図３に示す接続形態と異なるのは、次の点である。
第１にメイン制御基板１８では、インタフェース回路５２とグランドＧ１０との間にインピーダンスＺ２を介在させて接続し、インタフェース回路６０とグランドＧ１０との間にインピーダンスＺ４を介在させて接続する。第２に表示制御基板１５では、インタフェース回路８２とグランドＧ２０との間にインピーダンスＺ６を介在させて接続する。第３に音制御基板３０では、インタフェース回路９２とグランドＧ３０との間にインピーダンスＺ８を介在させて接続する。
【００２２】
ここでインピーダンスＺ２，Ｚ６は、インピーダンスＺ２およびメイン制御基板１８側のインピーダンスと、グランド線７２および表示制御基板１５側のインピーダンスとをマッチングさせるためのものである。具体的には、インピーダンスＺ２とインタフェース回路５２との間にグランド線７２を接続した接続点Ｐ１２からＣＰＵ回路５０をグランドＧ１０に接続した接続点Ｐ１０までのインピーダンスと、上記接続点Ｐ１２からＣＰＵ回路８４をグランドＧ２０に接続した接続点Ｐ２０までのインピーダンスとをマッチングさせる。同様にインピーダンスＺ４，Ｚ８は、インピーダンスＺ４およびメイン制御基板１８側のインピーダンスと、グランド線７６および音制御基板３０側のインピーダンスとをマッチングさせるためのものである。具体的には、インピーダンスＺ４とインタフェース回路６０との間にグランド線７６を接続した接続点Ｐ１４から接続点Ｐ１０までのインピーダンスと、上記接続点Ｐ１４からＣＰＵ回路９４をグランドＧ３０に接続した接続点Ｐ３０までのインピーダンスとをマッチングさせる。
これらのインピーダンスＺ２，Ｚ４，Ｚ６，Ｚ８は配線パターン，配線長，線幅，配線素材等に応じて異なるが、各基板上の各回路が誤動作しない範囲であれば各々のインピーダンスの大きさをそれぞれ一定値としてもよい。なお、各々のインピーダンスの大きさによっては少なくとも一つのインピーダンスが不要となる場合もあり得る。
【００２３】
上述した接続形態によれば、信号線７０（信号線３）からインタフェース回路５２（第２回路１ｂ）を通じて侵入しようとするノイズＮは、電流となってインピーダンスの低いほうの基板に流れようとする。ところが、インピーダンスＺ２，Ｚ６（インピーダンスマッチング手段としてのノイズ阻止手段１ｄ）によってインピーダンスがほぼ平衡になるため、両基板に侵入しようとするノイズＮの大きさがほぼ半減する。したがって、ノイズＮは矢印Ｄ４ａに沿って流れる電流と矢印Ｄ４ｂに沿って流れる電流とでほぼ半減する。このことは、信号線７０からインタフェース回路８２（第３回路２ａ）を通じて侵入しようとするノイズＮについても、インピーダンスＺ４，Ｚ８（インピーダンスマッチング手段としてのノイズ阻止手段１ｄ）によって同様である。この場合でも、ノイズＮは矢印Ｄ４ｃに沿って流れる電流と矢印Ｄ４ｄに沿って流れる電流とでほぼ半減する。
したがって、各基板上に形成した回路（特にＣＰＵ回路５０，８４，９４等；第１回路１ａ，第４回路２ｂ）が従来では誤動作し得たノイズＮの大きさであっても、ほぼ半減すると誤作動しなくなる場合があるので、当該回路の動作を従来よりも安定させることができる。
【００２４】
〔他の実施の形態〕
上述したパチンコ機１０（遊技機）において、他の部分の構造，形状，大きさ，配置および動作条件等については、上記実施の形態に限定されるものでない。例えば、上記実施の形態を応用した次の各形態を実施することもできる。
（１）上記各実施の形態では、パチンコ機１０に本発明を適用した。この形態に代えて、パチンコ機以外の他の遊技機（例えばスロットマシン，アレンジボール機，雀球遊技機，テレビゲーム機等）であって第１基板１，第２基板２，信号線３，基準線４を備えたものにも同様に本発明を適用することができる。当該他の遊技機であっても第１基板１上の第１回路１ａをノイズＮから保護するので、当該第１回路１ａの動作を安定させることができる。
【００２５】
（２）上記各実施の形態では、メイン制御基板１８と表示制御基板１５との間，メイン制御基板１８と音制御基板３０との間に本発明を適用した｛図３〜図６を参照｝。この形態に代えて（あるいは加えて）、二つ以上の任意数について信号線３および基準線４を用いて接続可能な任意の基板（基板以外では端子板や装置等であってもよい）相互間についても同様に本発明を適用してもよい。例えばランプ制御基板１６，発射制御装置２５，枠制御基板２７，払出装置２８，接続基板２６，３８や中継基板、パチンコ機１０に備えた他の装置などが該当する。この場合であっても、上述した実施の形態と同様の効果を得ることができる。
【００２６】
（３）上記各実施の形態では、基板間を接続するグランド線７２，７６を基準線４として適用した｛図３〜図６を参照｝。この形態に代えて（あるいは加えて）、ノイズＮが入り得る部材（例えばネジやビス、基板や装置等をシールドするシールド部材等）を基準線４として適用してもよい。この場合であっても、信号線７０，７４からインタフェース回路５２，６０等を通じて入ったノイズＮがＣＰＵ回路５０等に侵入するのを阻止できるので、当該ＣＰＵ回路５０等の動作を安定させることができる。
【００２７】
（４）上記各実施の形態では、ノイズＮはグランド線７２，７６を通じて表示制御基板１５のグランドＧ２０や音制御基板３０のグランドＧ３０に逃がす構成とした｛図３〜図６を参照｝。この形態に代えて、図７に示すようにノイズＮを電源基板３４のグランドＧ４０に逃がす構成としてもよい。すなわちメイン制御基板１８および表示制御基板１５は電源基板３４から供給される電力を受けて動作するが、これらの基板に基準電位を与えるグランド線１１４をコネクタ１１０，１１２，１１６を用いて接続する。電源基板３４内ではグランドＧ４０とグランド線１１４とをコネクタ１１０を介して直接に接続する。グランド線１１４はバス形式で接続し、分岐点Ｔ２からコネクタ１１２およびコイルＬ１６を介してメイン制御基板１８内のグランドＧ１０に接続し、分岐点Ｔ４からコネクタ１１６を介して表示制御基板１５内のグランドＧ２０に接続する。なお、バス形式に代えてスター形式やリング形式等によって同様にグランド線１１４を各基板内のグランドに接続してもよい。
【００２８】
上述した接続形態によれば、信号線７０からインタフェース回路５２を通じて侵入したノイズＮは、図示する矢印Ｄ６に沿ってグランド線７２→表示制御基板１５内のグランドＧ２０→グランド線１１４→電源基板３４内のグランドＧ４０に逃がすことができる。なお、分岐点Ｔ２からメイン制御基板１８内のグランドＧ１０に接続しているので、電流となったノイズＮはグランドＧ１０に流れ得るが、コイルＬ１６によって阻止される。こうしてノイズＮを電源基板３４内のグランドＧ４０に逃がすので、各基板上に形成した各回路の動作を安定させることができる。このことは電源基板３４，メイン制御基板１８，表示制御基板１５の組み合わせに限らず、他の基板や装置等の組み合わせについても同様に適用することができ、同様を効果を得ることができる。
【００２９】
（５）上記各実施の形態では、二つの基板を接続する態様について本発明を適用した｛図３〜図６を参照｝。この形態に代えて（あるいは加えて）、例えば図８に示すように三つ以上の基板を直列的に接続する態様についても同様に本発明を適用することができる。図８は、メイン制御基板１８，枠制御基板２７，払出装置２８を順に直列的に接続した例である。
図８において、メイン制御基板１８と枠制御基板２７との間は信号線１２０およびグランド線１４０をコネクタ５４，１２２を用いて接続し、枠制御基板２７と払出装置２８との間は信号線１２８およびグランド線１４６をコネクタ１２６，１３０を用いて接続する。メイン制御基板１８内では、インタフェース回路５２とグランドＧ１０との間にコイルＬ２を介在させて接続する。枠制御基板２７内では、グランド線１４０とグランド線１４６とを連結線１４２で接続し、当該連結線１４２をグランドＧ５０に接続し、さらにインタフェース回路１４４とグランドＧ５０との間にコイルＬ１８を介在させて接続する。払出装置２８内では、グランド線１４６をグランドＧ６０に接続する。
【００３０】
上述した接続形態によれば、信号線１２０，１２８からインタフェース回路５２，１４４を通じて侵入したノイズＮは、グランド線１４０，連結線１４２，グランド線１４６を介して払出装置２８に逃がすことができる。また、枠制御基板２７や払出装置２８はノイズＮによって誤動作し得るが、所要の周期でメイン制御基板１８から信号線１２０，１２８を通じて受ける信号によってすぐに正常に動作する。よって、メイン制御基板１８，枠制御基板２７および払出装置２８に形成したそれぞれの回路について動作を安定させることができる。なお、連結線１４２はノイズＮの通り道になるので、誤動作をより確実に防止するために当該連結線１４２の近傍には回路や素子を配置しないのが望ましい。
【００３１】
（６）上記各実施の形態では、信号線７０等からインタフェース回路５２等を通じて侵入したノイズＮを複数の基板間を接続するグランド線１１４等（基準線４）を通じて電源基板３４（特定基板）のグランドＧ４０に逃がす構成とした｛図７を参照｝。この形態に代えて（あるいは加えて）、放電可能な放電部材によって当該ノイズＮを放電させる構成としても同様の効果が得られる。当該放電部材としては、例えば遊技盤等を補強するために用いる導電性の補強部材や、導電部材（例えば金属板）で形成したものなどが該当する。
【００３２】
（７）上記各実施の形態では、信号線７０に侵入したノイズＮがインパルス等のように大きな電力であるときはインタフェース回路５２を流れる際に当該インタフェース回路５２を誤作動させる場合がある。このような誤作動を防止するとともに、ＣＰＵ回路５０等へのノイズＮの侵入を防止するには、信号線７０とグランド線７２との間にノイズ迂回手段（ツェナーダイオードや複数のダイオードからなる回路等）を介在させるのが望ましい。すなわち、所定電力を超える部分のノイズＮは信号線７０からノイズ迂回手段を通じてグランド線７２に流すことによってインタフェース回路５２の誤作動を防止することができ、インタフェース回路５２を流れたノイズＮもコイルＬ２によってグランド線７２に流すことによってＣＰＵ回路５０等へのノイズＮの侵入を防止することができる。
【００３３】
【他の発明の態様】
以上、本発明の実施の形態について説明したが、この実施の形態には特許請求の範囲に記載した発明の態様のみならず他の発明の態様を有するものである。この発明の態様を以下に列挙するとともに、必要に応じて関連説明を行う。
【００３４】
〔態様１〕  請求項１または２に記載した遊技機において、ノイズ阻止手段および第１基板側のインピーダンスと、基準線および第２基板側のインピーダンスとをマッチングさせるインピーダンスマッチング手段を有する遊技機。
〔態様１の関連説明〕  本態様によれば、ノイズ阻止手段１ｄおよび第１基板１側のインピーダンスと、基準線４および第２基板２側のインピーダンスとをマッチングさせるインピーダンスマッチング手段２ｃを有する｛図１を参照｝。このインピーダンスマッチング手段２ｃを介在させると、両基板に侵入し得るノイズＮの大きさをほぼ半減させることができる。よって、従来よりは誤動作の発生を抑えて基板上に形成した各回路の動作を安定させることができる。
【００３５】
【発明の効果】
本発明によれば、第１基板上の第１回路をノイズから保護するので、当該第１回路の動作を安定させることができる。
【図面の簡単な説明】
【図１】本発明の概念を示す模式図である。
【図２】パチンコ機の外観を示す背面図である。
【図３】ノイズの侵入を阻止可能な第１の接続例を示す図である。
【図４】ノイズの侵入を阻止可能な第２の接続例を示す図である。
【図５】ノイズの侵入を阻止可能な第３の接続例を示す図である。
【図６】ノイズの侵入を阻止可能な第４の接続例を示す図である。
【図７】ノイズの侵入を阻止可能な第５の接続例を示す図である。
【図８】ノイズの侵入を阻止可能な第６の接続例を示す図である。
【符号の説明】
１  第１基板
１ａ  第１回路
１ｂ  第２回路
１ｃ，１ｄ，２ｄ  ノイズ阻止手段
２  第２基板
２ａ  第３回路
２ｂ  第４回路
２ｃ  インピーダンスマッチング手段
３  信号線
４  基準線
Ｇ１  第１グランド
Ｇ２  第２グランド
Ｎ  ノイズ
１０  パチンコ機（遊技機）
１５  表示制御基板（基板）
１６  ランプ制御基板（基板）
１８  メイン制御基板（基板）
２５  発射制御装置（基板）
２６  接続基板（基板）
２７  枠制御基板（基板）
２８  払出装置（基板）
３０  音制御基板（基板）
３４  電源基板（基板）
３６  配電盤（基板）
３８  接続基板（基板）
５０  ＣＰＵ回路（第１回路）
８４，９４  ＣＰＵ回路（第４回路）
５６  リセット回路（第１回路）
５８  発振回路（第１回路）
５２，６０  インタフェース回路（第２回路）
８２，９２  インタフェース回路（第３回路）
７０，７４  信号線
７２，７６  グランド線（基準線）
Ｇ１０，Ｇ２０，Ｇ３０，Ｇ４０，Ｇ５０，Ｇ６０  グランド
Ｌ２，Ｌ４，Ｌ６，Ｌ８，Ｌ１０，Ｌ１２，Ｌ１４，Ｌ１６，Ｌ１８  コイル（ノイズ阻止手段）
Ｚ２，Ｚ４，Ｚ６，Ｚ８  インピーダンス（インピーダンスマッチング手段，ノイズ阻止手段）
【図１】
0004433119.tif 000002
【図２】
0004433119.tif 000003
【図３】
0004433119.tif 000004
【図４】
0004433119.tif 000005
【図５】
0004433119.tif 000006
【図６】
0004433119.tif 000007
【図７】
0004433119.tif 000008
【図８】
0004433119.tif 000009